(57)【要約】使用者へ適切な医療機関への受診または適切な検査機関での詳細な検査を促進する、細胞観察用の情報端末装置を提供する。カメラモジュール１８から、被検細胞の動画を取得する動画取得部１０１と、被検細胞ＳＰの動画をディスプレイ１７に表示する動画表示部１０２と、情報端末装置１００の位置を示す位置情報を取得する位置情報取得部１０５と、情報端末装置１００の位置から所定の範囲内に存在する検査機関ＣＬ０〜ＣＬＮの位置を示す情報を、ディスプレイ１７に表示する検査機関位置表示部１０６と、を備える。
2019044818.tif 000002
【特許請求の範囲】
【請求項１】
カメラモジュールから、被検細胞の動画を取得する動画取得部と、
前記被検細胞の前記動画を、ディスプレイに表示する動画表示部と、
前記情報端末装置の位置を示す位置情報を取得する位置情報取得部と、
前記情報端末装置の前記位置から所定の範囲内に存在する検査機関の位置を示す情報を、前記ディスプレイに表示する検査機関位置表示部と、
を備える、情報端末装置。
【請求項２】
前記検査機関位置表示部が、前記検査機関の位置を電子地図上に表示する、請求項１に記載の情報端末装置。
【請求項３】
前記ディスプレイに表示される前記検査機関の選択を受け付ける選択受付部と、
選択された前記検査機関の受付装置に検査申込情報を送信する検査受付部と、
をさらに備える、請求項１または２に記載の情報端末装置。
【請求項４】
前記検査受付部がさらに、前記被検細胞の前記動画を前記受付装置に送信する、請求項３に記載の情報端末装置。
【請求項５】
前記被検細胞の前記動画に基づいて、前記被検細胞の数および運動率を測定する細胞測定部をさらに備える、請求項１から４のいずれかに記載の情報端末装置。
【請求項６】
前記細胞測定部の測定結果に基づいて、前記被検細胞の状態を判定する細胞状態判定部をさらに備える、請求項５に記載の情報端末装置。
【請求項７】
前記動画表示部が、良好な状態の細胞を撮影した参照動画を、前記被検細胞の前記動画と共に前記ディスプレイに表示する、請求項１から６のいずれかに記載の情報端末装置。
【請求項８】
前記動画取得部が、前記情報端末装置の、前記ディスプレイが配置されている側の面に配置されている前記カメラモジュールを使用する、請求項１から７のいずれかに記載の情報端末装置。
【請求項９】
前記被検細胞がヒトの精子細胞を含む、請求項１から８のいずれかに記載の情報端末装置。
【請求項１０】
カメラモジュールから、被検細胞の動画を取得する動画取得ステップと、
前記被検細胞の前記動画を、ディスプレイに表示する動画表示ステップと、
前記情報端末装置の位置を示す位置情報を取得する位置情報取得ステップと、
前記情報端末装置の前記位置から所定の範囲内に存在する検査機関の位置を示す情報を、前記ディスプレイに表示する検査機関位置表示ステップと、
を含む、方法。
【請求項１１】
請求項１から９のいずれかに記載の情報端末装置の各部としてコンピュータを機能させるためのプログラム。
【請求項１２】
請求項１１に記載のプログラムを記録した、コンピュータ読み取り可能な非一時的な有体の記録媒体。
【請求項１３】
請求項１から９のいずれかに記載の情報端末装置と、
検査機関と当該検査機関の位置を示す情報とが対応付けられたデータベースを有し、前記情報端末装置から受信した、前記情報端末装置の位置を示す前記位置情報に基づいて、前記情報端末装置の前記位置から所定の範囲内に存在する検査機関を、前記データベースから検索する管理装置と、
前記検査機関に配置され、前記情報端末装置に通信可能な受付装置と、
を備える情報処理システム。
【請求項１４】
請求項１１に記載のプログラムを取得するための情報が記載された媒体と、
前記被検細胞を計数するためのグリッドが設けられた、前記被検細胞を溜める計数チャンバと、
前記情報端末装置に着脱可能に装着され、前記計数チャンバを前記カメラモジュールに対して所定の位置に保持する保持部材と、
を有する、細胞観察キット。
【発明の詳細な説明】
【技術分野】
【０００１】
本発明は、情報端末装置、方法、プログラム、情報処理システムおよび細胞観察キットに関し、より詳細には、使用者へ適切な医療機関への受診を促進する、細胞観察用の情報端末装置、方法、プログラム、情報処理システムおよび細胞観察キットに関する。
【背景技術】
【０００２】
近年では不妊症が問題となっている。世界保健機構ＷＨＯの統計によると、不妊の原因のうち、男性不妊が４８％であり、女性不妊が６５％との報告があり、この数字の結果から、男性不妊とわからない状況で子供を授かる事ができなかったカップルが多い事が想像される。不妊の原因には、女性の卵子の状態だけではなく、男性の精子の状態も深く関わっていることが注目されてきているものの、男性は、不妊の原因が自身にあるのか否かがわからない状況で専門の医療施設を受診することに躊躇する傾向があり、専門の医療機関を受診しない人が多いのが現状である。このような男性側の事情を反映して、使用者の自宅等において手軽に精子を観察するための様々なツールがこれまでに開発されてきた（例えば非特許文献１から３を参照）。
【先行技術文献】
【非特許文献】
【０００３】
【非特許文献１】“YO Sperm Test  Male Fertility Test Kit with 2 Tests in 1 Kit”，［online］，［2017年5月24日検索］，インターネット，<URL: http://www.yospermtest.com/>
【非特許文献２】“TENGA メンズルーペ  TENGA（テンガ）公式サイト”，［online］，［2017年5月24日検索］，インターネット，<URL: https://www.tenga.co.jp/mensloupe/>
【非特許文献３】“Seem(シーム)  スマホで手軽にできる精子セルフチェック produced by リクルート”，［online］，［2017年5月24日検索］，インターネット，<URL: https://seem.life/>
【発明の概要】
【発明が解決しようとする課題】
【０００４】
ツールによる観察の結果、例えば自己の精子数が標準値よりも少ないと疑いを抱く場合であっても、ツールの使用者は、実際のところ、精子のさらなる詳細な検査をどの医療機関のどの受診科に（またはどの検査機関に）依頼すれば良いのかがわからない。婦人科および産婦人科は主に女性の受診を対象としており、ツールの使用者である男性が、どの受診科を受診すればよいのかを適切に判断することは困難である。また、最近では泌尿器科で男性不妊専門で治療している専門施設が少数ながら開業してきてはいるが、それであったとしても、患者側の意識的にはあまり変わらないのが現状である。このように年々専門施設が増えてはいるが、意識レベルが低くプライドが高い男性不妊かの判定が手軽に行えて、判定結果によっては、スマホやタブレット、パソコン等の情報端末装置で気軽に予約を入れる事が出来て少子化対策に貢献できることが望まれている。【０００５】
本発明は、使用者へ適切な医療機関への受診または適切な検査機関での詳細な検査を促進する、細胞観察用の情報端末装置、方法、プログラム、情報処理システムおよび細胞観察キットを提供する。
【課題を解決するための手段】
【０００６】
上記目的を達成するための本発明は、以下に示す態様を含む。
（項１）
カメラモジュールから、被検細胞の動画を取得する動画取得部と、
前記被検細胞の前記動画を、ディスプレイに表示する動画表示部と、
前記情報端末装置の位置を示す位置情報を取得する位置情報取得部と、
前記情報端末装置の前記位置から所定の範囲内に存在する検査機関の位置を示す情報を、前記ディスプレイに表示する検査機関位置表示部と、
を備える、情報端末装置。
（項２）
前記検査機関位置表示部が、前記検査機関の位置を電子地図上に表示する、項１に記載の情報端末装置。
（項３）
前記ディスプレイに表示される前記検査機関の選択を受け付ける選択受付部と、
選択された前記検査機関の受付装置に検査申込情報を送信する検査受付部と、
をさらに備える、項１または２に記載の情報端末装置。
（項４）
前記検査受付部がさらに、前記被検細胞の前記動画を前記受付装置に送信する、項３に記載の情報端末装置。
（項５）
前記被検細胞の前記動画に基づいて、前記被検細胞の数および運動率を測定する細胞測定部をさらに備える、項１から４のいずれかに記載の情報端末装置。
（項６）
前記細胞測定部の測定結果に基づいて、前記被検細胞の状態を判定する細胞状態判定部をさらに備える、項５に記載の情報端末装置。
（項７）
前記動画表示部が、良好な状態の細胞を撮影した参照動画を、前記被検細胞の前記動画と共に前記ディスプレイに表示する、項１から６のいずれかに記載の情報端末装置。
（項８）
前記動画取得部が、前記情報端末装置の、前記ディスプレイが配置されている側の面に配置されている前記カメラモジュールを使用する、項１から７のいずれかに記載の情報端末装置。
（項９）
前記被検細胞がヒトの精子細胞を含む、項１から８のいずれかに記載の情報端末装置。
（項１０）
カメラモジュールから、被検細胞の動画を取得する動画取得ステップと、
前記被検細胞の前記動画を、ディスプレイに表示する動画表示ステップと、
前記情報端末装置の位置を示す位置情報を取得する位置情報取得ステップと、
前記情報端末装置の前記位置から所定の範囲内に存在する検査機関の位置を示す情報を、前記ディスプレイに表示する検査機関位置表示ステップと、
を含む、方法。
（項１１）
項１から９のいずれかに記載の情報端末装置の各部としてコンピュータを機能させるためのプログラム。
（項１２）
項１１に記載のプログラムを記録した、コンピュータ読み取り可能な非一時的な有体の記録媒体。
（項１３）
項１から９のいずれかに記載の情報端末装置と、
検査機関と当該検査機関の位置を示す情報とが対応付けられたデータベースを有し、前記情報端末装置から受信した、前記情報端末装置の位置を示す前記位置情報に基づいて、前記情報端末装置の前記位置から所定の範囲内に存在する検査機関を、前記データベースから検索する管理装置と、
前記検査機関に配置され、前記情報端末装置に通信可能な受付装置と、
を備える情報処理システム。
（項１４）
項１１に記載のプログラムを取得するための情報が記載された媒体と、
前記被検細胞を計数するためのグリッドが設けられた、前記被検細胞を溜める計数チャンバと、
前記情報端末装置に着脱可能に装着され、前記計数チャンバを前記カメラモジュールに対して所定の位置に保持する保持部材と、
を有する、細胞観察キット。
【発明の効果】
【０００７】
本発明によると、自己の細胞を自身で観察することが可能になり、観察結果に基づいて、使用者へ、適切な医療機関への受診または適切な検査機関での詳細な検査を促進することが可能になる。
【図面の簡単な説明】
【０００８】
【図１】本発明の実施の形態に係る細胞観察キットを説明するための模式図である。
【図２】カートリッジの装着状態を示す模式的な平面図である。
【図３】カートリッジの装着状態を示す模式的な断面図である。
【図４】本発明の実施の形態に係る情報処理システムを説明するための模式図である。
【図５】本発明の実施の形態に係る情報端末装置のハードウェア構成を示すブロック図である。
【図６】本発明の実施の形態に係る情報処理システムの機能を説明するためのブロック図である。
【図７】本発明の実施の形態に係る情報処理システムが行うデータ処理を示すフローチャートである。
【図８】本発明の実施の形態に係る情報処理システムが行うデータ処理を示すフローチャートである。
【図９】観察モードの画面表示例である。
【図１０】計測モードの画面表示例である。
【図１１】検査申込モードの画面表示例である。
【図１２】検査申込モードにおける受診受付フォームの画面表示例である。
【図１３】別態様に係る観察モードの画面表示例である。
【図１４】別態様に係る計数チャンバの平面図である。
【発明を実施するための形態】
【０００９】
以下、本発明の実施の形態を、添付の図面を参照して詳細に説明する。なお、以下の説明および図面において、同じ符号は同じまたは類似の構成要素を示すこととし、よって、同じまたは類似の構成要素に関する説明を省略する。
【００１０】
以下に説明する実施形態では、ヒトの男性の精子細胞を被検対象として説明する。また、以下の説明において、検査機関とは、被検対象の細胞を詳細に検査することが可能なスタッフおよび検査機器を有する、医療機関（診療施設を含む）および研究機関を含む概念である。
【００１１】
［細胞観察キットの概要］
図１は、本発明の実施の形態に係る細胞観察キット４００を説明するための模式図である。細胞観察キット４００は、自宅やその他の場所において、使用者が手軽に精子を観察するためのツールである。
【００１２】
細胞観察キット４００には、収集容器４１と、スポイト（ピペット）４２と、計数チャンバ（counting chamber）４３と、カートリッジ４４と、カード（媒体）４５と、が主に含まれている。
【００１３】
収集容器４１は、使用者が被検対象である精子ＳＰを含む精液ＳＥを採取するための容器である。精液ＳＥは、採取後約５分から１５分程度経過すると自然に液化する。使用者は、スポイト４２を用いて、液化した適量の精液ＳＥを吸引し、計数チャンバ４３の導入エリア４３１へ導入する。計数チャンバ４３の計測エリア４３２にはスライドガラス４３３が重ねて配置されており、導入エリア４３１へ滴下された精液ＳＥは、毛細管現象により計測エリア４３２に引き込まれる。計測エリア４３２の底面には、精子数計数用の、格子状のグリッド４３４が、例えば印刷により所定の間隔で設けられている。例示的には、グリッド４３４は、約１ｍｍの長さの範囲に１０本設けられている。
【００１４】
カード４５には、使用者が本発明の細胞観察用のプログラム（アプリ）を、図２に示すスマートフォン等の情報端末装置１００にインストールするための情報が記載されている。具体的には、カード４５に情報コード４５１（例えば、ＱＲコード（登録商標））および専用のＩＤ番号４５２が記載されており、使用者は、例えば情報端末装置１００のカメラモジュール１８を用いて情報コード４５１を読み取ることにより、プログラムのダウンロード先のＵＲＬにアクセスすることができる。プログラムのダウンロード後、アプリを起動してユーザ登録を行うことができる。なお、情報コード４５１に代えて、プログラムをダウンロードするＵＲＬをカード４５に記載してもよい。
【００１５】
細胞観察キット４００には、細胞観察用のプログラム等に関する紙媒体の取扱説明書を含めてもよいが、当該取扱説明書の電子データをネットワークを介して、または、ＤＶＤ−ＲＯＭなどの記録媒体を介して提供してもよい。または、取扱説明書の内容を説明する動画を、例えばYouTube（登録商標）等の動画配信サイトにて配信してもよく、使用者は、例えば情報端末装置１００のカメラモジュール１８を用いて情報コード４５１を読み取ることにより、説明動画を配信する動画配信サイトのＵＲＬにアクセスすることができる。
【００１６】
図２および図３は、カートリッジ４４の装着状態を示す模式図である。図２は平面図であり、図３は図２のＡ−Ａ断面図である。
【００１７】
カートリッジ４４は情報端末装置１００に着脱可能に装着される形状であり、レンズ４４１、およびレンズホルダ４４２を備えている。レンズ４４１は、例示的には直径が約０．８ｍｍ±０．３ｍｍのボールレンズまたは凸レンズである。レンズホルダ４４２は、レンズ４４１と略同じ厚さを有し、レンズホルダ４４２には、レンズ４４１と略同じ寸法の直径の円状の孔が設けられている。図３に示すように、レンズ４４１が嵌め込まれたレンズホルダ４４２の板は、カメラモジュール１８とほぼ接触する程度の距離に配置される。計数チャンバ４３およびスライドガラス４３３の組も、レンズホルダ４４２にほぼ接触する程度の距離に配置される。好ましくは、使用者は、例えばレンズ４４１または動画配信サイトの上記した説明動画を参照して、レンズ４４１の配置場所（カメラモジュール１８からの高さ）を情報端末装置１００の機種毎に変化させることができる構成となっている。カートリッジ４４には、計数チャンバ４３を挿入するためのスライド溝Ｃが形成されており、レンズ４４１および計数チャンバ４３内の精液ＳＥが、情報端末装置１００のカメラモジュール１８から上方に一直線上に並ぶように、計数チャンバ４３が所定の位置に保持される。この際、計数チャンバ４３は、表面のスライドガラス４３３が計数チャンバ４３の下側表面に配置されるように、カートリッジ４４に保持されるのが好ましい。使用者は、情報端末装置１００にインストールした細胞観察用のアプリを起動し、カメラモジュール１８を用いて、外光ＥＸにより照らされる精液ＳＥ中の精子ＳＰの動画または静止画像を撮影または撮像する。図２および図３に示す態様では、カメラモジュール１８は情報端末装置１００の正面側（使用者側）に配置されている。
【００１８】
情報端末装置１００は、細胞観察用のプログラムを実行することにより、撮影された精子の動画に基づいて、精子ＳＰの状態を判定することができる。情報端末装置１００による判定は簡易的なものであるため、使用者が精子ＳＰの詳細な検査を希望する場合、情報端末装置１００は後述する手順に沿って、使用者が適切な検査機関での詳細な検査を受けるように促進する機能を有している。
【００１９】
［システムの概要］
図４は、本発明の実施の形態に係る情報処理システムを説明するための模式図である。情報処理システムは、情報端末装置１００と、管理装置２００と、複数の受付装置３００とを備える。情報端末装置１００と管理装置２００と複数の受付装置３００とは、ネットワーク９９を介して互いに接続されている。
【００２０】
管理装置２００には、精子の詳細な検査が可能な複数の検査機関ＣＬ０〜ＣＬＮの情報と、電子地図データ上の位置情報とが、予め対応付けられてデータベースとして記録されている。受付装置３００は、複数の異なる検査機関ＣＬ０〜ＣＬＮのそれぞれに配置されている。本実施形態では、情報端末装置１００は、例えばＧＰＳ信号を受信可能なカメラ付きのスマートフォンであり、管理装置２００および受付装置３００は、例えば汎用コンピュータで構成されている。
【００２１】
情報端末装置１００の使用者は、カメラモジュール１８および図１に示す細胞観察キット４００を用いて、被検対象である精子ＳＰの動画を撮影することができる。撮影した精子の動画はディスプレイ１７に表示され、情報端末装置１００は、撮影した動画に基づいて精子の数および運動率を測定し、この測定結果に基づいて、情報端末装置１００は精子の状態を判定する。判定結果はディスプレイ１７に表示される。これにより、使用者は、自己の精子を自身で観察することが可能になる。
【００２２】
判定結果を受けて、使用者が精子の詳細な検査を希望する場合、情報端末装置１００は、ＧＰＳ衛星９８から情報端末装置１００の位置情報を取得する。取得した位置情報は管理装置２００に送信され、管理装置２００が、情報端末装置１００の近隣の検査機関の位置情報をデータベースから検索する。情報端末装置１００は、検索された検査機関ＣＬ０〜ＣＬＮの位置を、例えば使用者の現在の位置を中心として、ディスプレイ１７に電子地図の形態で表示する。
【００２３】
電子地図上に表示される検査機関ＣＬ０〜ＣＬＮのうち、使用者は、どこが適切な検査機関・診療施設なのかを、リンクしたホ-ムぺ-ジを閲覧や実際受診された方の投稿を見る事も出来た上で、使用者が詳細な検査を希望する検査機関を選択すると、情報端末装置１００は、選択した検査機関の受付フォームをディスプレイ１７に表示する。使用者が受付フォームを記入すると、受付フォームを介して入力された検査申込情報が、選択した検査機関の受付装置３００へ送信される。任意の処理として、詳細な検査の対象である精子動画が、検査申込情報と共に送信される。
【００２４】
これにより、使用者は、自己の精子の観察結果に基づいて、適切な検査機関での詳細な検査の受付を、情報端末装置１００によってワンストップで行うことが可能になる。
【００２５】
［システムのハードウェア構成］
図５は、本発明の実施の形態に係る情報端末装置１００のハードウェア構成を示すブロック図である。情報端末装置１００は、演算部１０と、タッチパネル１６と、ディスプレイ１７と、カメラモジュール１８と、ＧＰＳ信号受信機（図示せず）とを備える。
【００２６】
演算部１０は、例えば汎用コンピュータで構成されており、後述するデータ処理を行うＣＰＵ１１と、データ処理の作業領域に使用するメモリ１２と、処理データを記録する記録部１３と、各部の間でデータを伝送するバス１４と、外部機器とのデータの入出力を行うインタフェース部１５（以下、Ｉ／Ｆ部と記す）とを備えている。
【００２７】
タッチパネル１６、ディスプレイ１７およびカメラモジュール１８は、演算部１０に接続されている。本実施形態では、タッチパネル１６とディスプレイ１７とは一体化されてタッチパネル式のディスプレイとして構成されており、カメラモジュール１８はＣＭＯＳイメージセンサまたはＣＣＤイメージセンサ等の撮像素子で構成されている。
【００２８】
以下の説明においては、特に断らない限り、演算部１０が行う処理は、記録部１３またはメモリ１２に格納されたプログラムに基づいて、実際には演算部１０のＣＰＵ１１が行う処理を意味する。ＣＰＵ１１はメモリ１２を作業領域として必要なデータ（処理途中の中間データ等）を一時記憶し、記録部１３に演算結果等の長期保存するデータを適宜記録する。
【００２９】
また、演算部１０は、以下の図７および図８で説明するステップＳ１〜Ｓ４およびＳ１１，Ｓ１３〜Ｓ１４の処理を行うために、本発明に係るプログラムを、例えば実行形式（例えばプログラミング言語からコンパイラにより変換されて生成される）で記録部１３に予め記録しており、演算部１０は、記録部１３に記録したプログラムを使用して処理を行う。
【００３０】
［システムの機能ブロック］
図６は、本発明の実施の形態に係る情報処理システムの機能を説明するためのブロック図である。
【００３１】
情報端末装置１００の演算部１０は、動画取得部１０１と、動画表示部１０２と、細胞測定部１０３と、細胞状態判定部１０４と、位置情報取得部１０５と、検査機関位置表示部１０６と、選択受付部１０７と、検査受付部１０８と、を備える。これらの機能ブロックは、本発明に係るプログラムを演算部１０の記録部１３またはメモリ１２にインストールし、このプログラムをＣＰＵ１１が実行することにより実現される。
【００３２】
管理装置２００は演算部２０を備える。演算部２０は、情報端末装置１００が備える演算部１０と同様の構成を有している。
【００３３】
以下の説明においては、特に断らない限り、演算部２０が行う処理は、記録部またはメモリに格納されたプログラムに基づいて、実際には演算部２０のＣＰＵが行う処理を意味する。ＣＰＵはメモリを作業領域として必要なデータ（処理途中の中間データ等）を一時記憶し、記録部に演算結果等の長期保存するデータを適宜記録する。
【００３４】
また、演算部２０は、以下の図８で説明するステップＳ１２の処理を行うために、本発明に係るプログラムを、例えば実行形式で記録部に予め記録しており、演算部２０は、記録部に記録したプログラムを使用して処理を行う。
【００３５】
管理装置２００の演算部２０は、検査機関検索部２０１と、地図画像生成部２０２と、検査機関データベース２０３と、電子地図データベース２０４と、を備える。電子地図データベース２０４には、電子地図のデータが記録されている。電子地図のデータは、例えばGoogle（登録商標） Mapsを利用したデータであってもよいし、情報処理システムの運営会社等が独自に作成したデータであってもよい。検査機関データベース２０３には、精子の詳細な検査が可能な複数の検査機関ＣＬ０〜ＣＬＮの情報と、電子地図データ上の位置情報とが、予め対応付けられて記録されている。検査機関データベース２０３は、例えばMySQLやOracle（登録商標）Database等のミドルウェアにより、関係データベースとして構築することができる。
【００３６】
［システムの動作］
図７および図８は、本発明の実施の形態に係る情報処理システムが行うデータ処理を示すフローチャートである。図６に示す動画取得部１０１、動画表示部１０２、細胞測定部１０３および細胞状態判定部１０４により、図７に示すステップＳ１〜Ｓ４の処理が実行され、図６に示す位置情報取得部１０５、検査機関検索部２０１および地図画像生成部２０２、検査機関位置表示部１０６、並びに選択受付部１０７および検査受付部１０８により、図８に示すステップＳ１１〜Ｓ１４の処理がそれぞれ実行される。
【００３７】
以下、図７および図８に示すフローチャートと、図９から図１２に示す情報端末装置１００の画面表示例とを適宜参照して、本発明の実施の形態に係る情報処理システムが行うデータ処理について説明する。
【００３８】
まず、使用者は、本発明の細胞観察用のアプリを起動する。本実施形態では、アプリには、観察モード、計測モードおよび撮影記録モードの３つのモードが実装されている。使用者がこれらアプリの各モードを適宜選択することにより、情報端末装置１００または管理装置２００は、ステップＳ１〜Ｓ９の該当するステップの処理を実行する。
【００３９】
＜観察モード＞
図９は、観察モードの画面表示例である。観察モードでは、動画取得部１０１が、精液ＳＥ中に含まれる精子ＳＰの、カメラモジュール１８を通じたリアルタイム映像または静止画像を取得し、動画表示部１０２が、精子ＳＰのリアルタイム映像または静止画像をディスプレイ１７に表示する。なお、任意の処理として、観察モードでは、記録ボタン１６０が押されると、動画取得部１０１は、取得した精子ＳＰのリアルタイム映像または静止画像を記録部１３に記録することができる。
【００４０】
＜計測モード＞
図１０は、計測モードの画面表示例である。計測モードでは、以下に説明するステップＳ１〜Ｓ４の処理を行うことができる。すなわち計測モードでは、計測開始ボタン１６１が押されると動画取得部１０１が動作を開始し、カメラモジュール１８を通じて、精液ＳＥ中に含まれる精子ＳＰの動画を撮影し、精子動画を取得する（ステップＳ１）。本実施形態では、精子動画の撮影時間は例えば約１０秒〜約６０秒程度であり、好ましくは約２０秒である。精子動画の取得中、動画表示部１０２は、精子ＳＰのリアルタイム映像をディスプレイ１７に表示する（ステップＳ２）。
【００４１】
精子動画の取得が完了すると、引き続き細胞測定部１０３が動作を開始し、ステップＳ１において取得した精子動画に基づいて、精子ＳＰの数および運動率を測定する（ステップＳ３）。次いで、細胞状態判定部１０４が、細胞測定部１０３の測定結果に基づいて精子ＳＰの状態を判定する（ステップＳ４）。
【００４２】
細胞測定部１０３は、計数チャンバ４３の底面に設けられている格子状のグリッド４３４を利用して、精子ＳＰの数および運動率を測定する。測定により得られた精子ＳＰの数および運動率は、ディスプレイ１７に表示される。
【００４３】
精子数の測定については、まず、公知の画像処理方法により、既知の容量内に存在する精子数をカウントする。次に、世界保健機関ＷＨＯの測定基準に沿った規定の測定容量に対応するように、既知の容量について得られた精子数のカウント値に、既知容量に応じた倍数を乗算して、規定の測定容量での精子数のカウント値を算出する。
【００４４】
本実施形態では、格子のサイズが１００μｍ×１００μｍであり、計数チャンバ４３の深さは、精子が面方向に移動可能な深さである。計数チャンバ４３の深さは、好ましくは約１０μｍ〜約２０μｍであり、より好ましくは約２０μｍである。これにより、グリッド４３４で区切られるマス目１つの容量が計算される。細胞測定部１０３は、グリッド４３４で区切られる複数のマス目のうち、公知の画像処理方法により、規定数のマス目内に存在する精子ＳＰを判別し、精子ＳＰの数をカウントする。
【００４５】
運動率の測定については、まず、公知の画像処理方法により、撮影範囲内のマス目全体について、移動している精子数と総精子数とをカウントする。次に、計算式：  （移動している精子数／総精子数）×１００  により、精子の運動率［％］を求める。
【００４６】
精子の移動速度については、精子がグリッド４３４間をグリッド４３４の垂直方向に移動するための所要時間に基づいて自動的に計測することができる。または、自動計測機能に代えて、ユーザが精子を目視で観察しながらストップウォッチを用いて、精子がグリッド４３４間を移動する時間を計測し、計測時間に基づいて移動速度を求めてもよい。
【００４７】
上記した方法以外にも、細胞測定部１０３による精子ＳＰの数および運動率の解析は、公知のＣＡＳＡ（Computer Assisted Sperm Analysis）システムと同様の方法にて行うことができる。ＣＡＳＡシステムによる精子数および運動率の解析方法は公知であるので、本明細書ではこれ以上の詳細な説明は省略する。
【００４８】
細胞状態判定部１０４は、細胞測定部１０３が測定した精子ＳＰの数および運動率に基づいて、精子の状態を判定する。判定結果はディスプレイ１７に表示される。
【００４９】
精子の状態の判定については、測定により得られた精子数および運動率を所定のしきい値と比較することにより行う。例えば、測定により得られた精子数および運動率のいずれもが、所定のしきい値を越える値である場合には、精子の状態が「良好」であると判定し、それ以外には「不良」であると判定する。本実施形態では、精子数のしきい値は例えば１５００万個／ｍｌであり、運動率のしきい値は例えば４０％である。
【００５０】
＜撮影記録モード＞
撮影記録モードでは、観察モードと同じ処理を行うことができる。ただし、観察モードでは、取得した精子ＳＰの動画は記録部１３に記録されないが、撮影記録モードでは、動画取得部１０１が、ステップＳ１において取得した精子動画を記録部１３に記録する。記録部１３に記録された精子動画は、情報端末装置１００において再生可能である。さらに後述するように、希望する検査機関に詳細な検査を申し込む際に、当該検査機関に精子動画を送信することができる。
【００５１】
＜検査申込＞
精子動画を記録部１３に記録した後、本発明の細胞観察用のアプリの終了の操作を行うと、ディスプレイ１７に、検査機関での詳細な検査を希望するか否かを選択するための選択用画面が表示される。選択用画面には、希望するか否かを選択するためのボタンを表示するとともに、任意の構成として、以下のようなメッセージを選択用画面に表示してもよい。例えば、精子の状態が「不良」であると判定された場合に、「検査機関による正確な計測をおすすめします。」というメッセージを表示し、精子の状態が「良好」であると判定された場合に、「良好と評価されましたが、定義化した値による評価のため、検査機関による正確な計測をおすすめします。」というメッセージを表示してもよい。
【００５２】
ユーザが検査を希望することを選択した場合、図１１に示す電子地図がディスプレイ１７に表示される。この電子地図の表示は、情報端末装置１００および管理装置２００が、図８に示すステップＳ１１〜Ｓ１４の処理を行うことにより実現される。具体的には、まず、位置情報取得部１０５が、情報端末装置１００の位置を示す位置情報をＧＰＳ衛星９８から取得して（ステップＳ１１）、管理装置２００に送信する。
【００５３】
次に、管理装置２００では、検査機関検索部２０１が、情報端末装置１００の位置情報に基づいて、情報端末装置１００の位置から、例えば予め指定された所定の範囲内（半径距離）に存在する検査機関ＣＬ０〜ＣＬＮを、検査機関データベース２０３から検索する（ステップＳ１２）。地図画像生成部２０２は、検査機関検索部２０１により検索された、所定範囲内（例えば現在地から半径１０ｋｍの範囲内）に存在する検査機関ＣＬ０〜ＣＬＮの位置情報と、電子地図データベース２０４内の電子地図データとに基づいて、検索結果を表す地図画像を生成し、情報端末装置１００に送信する。
【００５４】
情報端末装置１００では、検査機関位置表示部１０６が、地図画像生成部２０２から地図画像を受信して、検索された検査機関の位置情報を、電子地図の形態でディスプレイ１７に表示する（ステップＳ１３）。図１１中、符号１６２で示す地図上のアイコンが、情報端末装置１００（つまり使用者）の位置を示し、符号１６３で示す地図上のアイコンが、検索条件にヒットした、情報端末装置１００の位置１６２から所定の範囲内に存在する検査機関ＣＬ０〜ＣＬＮの位置を示している。
【００５５】
使用者は、検索条件にヒットした検査機関１６３のうち、受診を希望する検査機関を選択することができる。この際、例えば検査機関位置表示部１０６が、選択された検査機関の概要情報（例えば、検査機関の施設名、住所または所在地、電話番号、ＦＡＸ番号、メールアドレス、五つ星の評価、口コミ掲載、検査機関のウェブサイトへのリンク、ＳＮＳ（Social Networking Service）サイトへのリンク、本発明を通じてサイトにアクセスされた回数および受診回数等）をディスプレイ１７に表示することができる。使用者は、ディスプレイに表示されている検査機関のウェブサイトへのリンクまたはＳＮＳサイトへのリンクをクリックすると、検査機関のウェブサイトまたはＳＮＳサイトへアクセスできて詳細な情報を閲覧することができる。これらの機能は、使用者が適切な検査機関での詳細な検査を受けるように促進する機能である。検査機関の選択は、電子地図上で受診を希望する検査機関に対応するアイコンをタッチすることにより行われる。選択受付部１０７が、使用者による検査機関の選択をタッチパネル１６を介して受け付けると、検査受付部１０８が、受診受付フォームをディスプレイ１７に表示する。
【００５６】
図１２は、受診受付フォームの画面表示例である。使用者はタッチパネル１６を介して受付フォームを記入し、送信ボタン１６４が押されると、検査受付部１０８は、受付フォームを介して入力された検査申込情報を、選択した検査機関の受付装置３００へ送信する（ステップＳ１４）。本実施形態では、検査申込情報は、受診希望日時と、専用のＩＤ番号４５２と、名前（任意）と、精子動画の添付の有無と、電話番号と、メールアドレスとを含む。なお、ユーザが検査機関へ実際に精子細胞を持ち込む場合は、詳細な検査の対象である精子動画の送信は任意である。
【００５７】
これにより、使用者は、自己の精子の観察結果に基づいて、適切な検査機関での詳細な検査の受付を、情報端末装置１００によってワンストップで行うことが可能になり、使用者への、適切な医療機関への受診または適切な検査機関での詳細な検査が促進される。なお、受診受付フォームの送信後に、現在地から選択した検査機関へのルートを電子地図上に表示してもよい。
【００５８】
本発明によると、従来、人工授精や生殖補助医療技術が施される大学、病院、クリニック、研究室等の専門施設で行っていた、細胞(精子)の移動速度の計測と細胞数の計測とを、専門施設に行く事なく身近に行うことが可能となる。本発明によると、情報端末装置１００の正面側（使用者側）に配置されているカメラモジュール１８に、レンズ４４１と、格子状のグリッド４３４が設けられた計数チャンバ４３とを取り付けて、細胞観察用のプログラム（アプリ）を起動することにより、このような計測および観測を手軽に行うことが可能となる。本発明による計測方法は、細胞の移動速度と細胞数とを定義化した値により計測する。また、定義化した値を平均的な良好細胞(精子)と位置付けし、観察細胞（精子)が良好か不良かを自身で手軽に比較および評価することが可能となる。よって、使用者の自尊心を傷つける事無く、自尊心を保つ権利とプライバシーそして羞恥心の保護を自分自身で確保することができる。これにより、不妊治療の早期の段階で専門施設へ行き、子供を授かる可能性が向上することが期待される。
【００５９】
［その他の形態］
以上、本発明を特定の実施の形態によって説明したが、本発明は上記した実施の形態に限定されるものではない。
【００６０】
上記実施の形態では、検査申込モードにおいて、検査機関位置表示部１０６が、検索された検査機関の位置情報を電子地図の形態でディスプレイ１７に表示しているが、本発明はこれに限定されない。例えば、検査機関位置表示部１０６は、検索された検査機関の位置情報である検査機関の住所または所在地を、テキスト情報の形態でリストとしてディスプレイ１７に表示してもよい。
【００６１】
上記実施の形態では、図９の画面表示例に示す観察モードにおいて、初期状態では動画表示部１０２が精子ＳＰのリアルタイム映像をディスプレイ１７に表示しているが、例えば図１３の画面表示例に示すように、表示切り替えボタン１６５が押下されると、動画表示部１０２が、健常者からの良好な状態の細胞を撮影した比較用の参照動画１６６を、リアルタイム映像と共にディスプレイ１７に表示してもよい。図１３に例示する態様では、画面の左側に精子ＳＰのリアルタイム映像を表示し、画面の右側に健常者の良好な状態の参照動画を表示している。
【００６２】
使用者が情報端末装置１００にインストールした細胞観察用のアプリを起動する際に、情報端末装置１００は、アプリの起動に使用者の同意を求めてもよい。同意情報は、例えば、使用者の氏名、年齢、e-mailアドレス、携帯電話番号、住所、キット内に含まれているＩＤ番号４５２等とすることができる。さらに、これら同意情報のうち、例えば氏名、e-mailアドレス、およびＩＤ番号４５２を必須の情報としてもよい。情報端末装置１００が管理装置２００へ同意情報を送信した後、管理装置２００は、使用者の情報端末装置１００に、例えばe-mailを介して顧客番号（ユーザＩＤ）を通知し、ユーザ登録が完了する。使用者は、通知された顧客番号を、例えば入力ダイアログを介して細胞観察用アプリに入力することにより、アプリを起動することが可能となる。情報端末装置１００は、アプリ起動後に、取扱説明書の内容を説明する動画を配信する動画配信サイト（例えば、YouTube（登録商標））のＵＲＬにアクセスし、説明動画をディスプレイ１７に表示し再生してもよい。
【００６３】
上記実施の形態では、図１２に示す受診受付フォームの画面表示において、送信ボタン１６４が押されると、検査受付部１０８は、受付フォームを介して入力された検査申込情報を、選択した検査機関の受付装置３００へ送信している（ステップＳ１４）が、検査受付部１０８は、検査申込の条件として、顧客番号の入力を使用者に求めてもよい。また、顧客番号を用いることにより、検査申込の回数に制限を加えてもよい。例えば、検査申込は原則で１回までとし、最大で２回まで検査申込を可能としてもよい。２回目の検査申込を可能とする条件としては、例えば、１回目の申込から所定の時間内（例えば、３０分以内）とすることができる。所定の時間を経過した以後の検査申込は、無効とすることができる。
【００６４】
上記実施の形態では、アプリには、観察モード、計測モードおよび撮影記録モードの３つのモードが実装されており、それぞれのモードに対応するアイコンがディスプレイ１７に表示されているが、アプリが実装するモードはこれに限定されない。観察モード、計測モードおよび撮影記録モードの３つのモードに加えて、例えば、使用方法モードおよび検索モードを実装し、これら追加の２つのモードに対応するアイコンを、ディスプレイ１７に表示してもよい。使用方法モードでは、例えば、取扱説明書の内容を説明する動画を配信する動画配信サイトのＵＲＬにアクセスし、説明動画をディスプレイ１７に表示し再生する。検索モードでは、例えば、情報端末装置１００および管理装置２００が、図８に示すステップＳ１１〜Ｓ１４の一連の処理を行い、図１１に示す電子地図をディスプレイ１７に表示する。
【００６５】
上記実施形態において図１２に例示する受診受付フォームは一例であり、受診受付フォームには種々の項目を記載することができる。受診受付フォームは、記入項目が統一されたアプリ専用の受診受付フォームとしてもよく、記入項目が検査機関毎に異なる個別の受診受付フォームとしてもよい。
【００６６】
上記実施の形態では、情報端末装置１００の正面側（使用者側）に配置されたカメラモジュール１８を使用して、精液ＳＥを撮影または撮像しているが、情報端末装置１００の背面側に配置されたカメラモジュールを使用して、精液ＳＥを撮影または撮像してもよい。背面側に配置されたカメラモジュールを使用すると、撮像画像をライブで拡大できるので好ましい。
【００６７】
上記実施の形態では、計数チャンバ４３には１箇所の計測エリア４３２が設けられているが、例えば図１４の平面図に示すように、検査機関での詳細検査用に２箇所の計測エリア４３２Ａ，４３２Ｂが設けられていてもよい。この場合、２箇所の計測エリア４３２Ａ，４３２Ｂのそれぞれに対応して、液化した精液ＳＥが滴下される２箇所の導入エリア４３１Ａ，４３１Ｂが設けられてもよい。あるいは、検査機関での詳細検査用に、細胞観察キット４００が、図１に示す計数チャンバ４３を２枚含んでいてもよい。つまり、使用者自身が自宅等において計数チャンバ４３を１枚使用し、選択した検査機関での詳細検査用に、残りの１枚の計数チャンバ４３を検査機関に持ち込んで使用してもよい。また、使用者が未使用の計数チャンバ４３を検査機関に持ち込んで詳細検査が実施される場合、選択された検査機関は検査費用を減額してもよい。
【００６８】
上記実施の形態では、電子地図上に表示する、精子の詳細な検査が可能な複数の検査機関ＣＬ０〜ＣＬＮの情報がデータベースとして記録されているが、データベースに登録し電子地図に表示する検査機関・診療施設は、管理装置２００を運営する機関により認証を受けた検査機関・診療施設とすることができる。すなわち、管理装置２００を運営する機関が規定する所定の基準を検査機関・診療施設が満たしていない場合や、検査機関・診療施設が機関から除名処分を受けている場合には、そのような検査機関・診療施設をデータベースの登録から除外することができる。
【００６９】
上記実施の形態では、検査機関位置表示部１０６は、使用者からの、現在地からの予め設定された距離（半径距離）の指定に基づいて、検索された検査機関の位置を電子地図の形態で表示しているが、検索する範囲は特に限定されない。使用者が半径距離を指定してもよい。また例えば、使用者の現在地を中心とする矩形領域内（例えば南北１０ｋｍ、東西５ｋｍの領域内）に存在する検査機関を検索してもよい。また、あらかじめ設定された範囲内に検査機関が存在しない場合、当該範囲外にある最寄りの検査機関を検索し、見付かった検査機関の位置を、縮尺を拡大した電子地図に表示してもよい。
【００７０】
あるいは、検査機関位置表示部１０６は、使用者からの都道府県の指定に基づいて、検索された検査機関の位置を電子地図の形態で表示してもよい。この場合、例えば位置情報取得部１０５が、検索する都道府県の指定を使用者から取得して検査機関検索部２０１に送信し、検査機関検索部２０１が、指定された都道府県内に存在する検査機関を、検査機関データベース２０３から検索すればよい。
【００７１】
上記実施の形態では、図１２の画面表示例に示す検査申込モードにおいて、使用者は受診希望日時を指定して受診の申込を行っているが、受診の申込に代えて、医師からの折り返しの所見を求めてもよい。この場合、検査受付部１０８は、検査申込情報と共に使用者の精子動画を添付して送信する。
【００７２】
上記実施の形態では、ヒトの男性の精子細胞を被検対象としているが、被検対象はヒトに限定されず、例えば牛や豚等の家畜、例えば競走馬（サラブレッド）、実験用動物等の種々の動物の精子細胞を被検対象とすることができる。また、被検対象の細胞も精子には限定されず、種々の細胞や組織を被検対象とすることができる。
【００７３】
上記実施の形態では、情報端末装置１００は、例えばＧＰＳ信号を受信可能なカメラ付きのスマートフォンであるが、情報端末装置１００はこのような態様のスマートフォンに限定されない。情報端末装置１００は一体の装置である必要はなく、ディスプレイ１７、カメラモジュール１８およびＧＰＳ信号受信機（図示せず）等が情報端末装置１００と別体で配置され、これらが互いにネットワーク（例えば、BLUETOOTH（登録商標））で通信可能に接続されていてもよい。このような態様では、情報端末装置１００は汎用コンピュータで構成することができ、位置情報取得部１０５は、別体で配置されたＧＰＳ信号受信機を介して、情報端末装置１００の位置情報を取得することができる。
【００７４】
上記実施の形態では、動画取得部１０１、動画表示部１０２、細胞測定部１０３、細胞状態判定部１０４、位置情報取得部１０５、検査機関位置表示部１０６、選択受付部１０７および検査受付部１０８の各機能ブロックは、単一のＣＰＵ１１で実行されているが、これら各機能ブロックは単一のＣＰＵ１１で実行される必要は必ずしもなく、複数のＣＰＵで分散して処理されてもよい。
【００７５】
上記実施の形態では、情報端末装置１００は、ステップＳ１〜Ｓ４およびＳ１１，Ｓ１３〜Ｓ１４の処理を行うためのプログラムを、ネットワーク９９を介してダウンロードしているが、本発明はこれに限定されない。例えば、ＤＶＤ−ＲＯＭ、ＳＤカード（登録商標）またはＵＳＢメモリ等の、コンピュータ読み取り可能であって一時的でない有形の記録媒体に上記プログラムを記録し、当該記録媒体から情報端末装置１００にインストールしてもよい。
【００７６】
上記実施の形態では、情報端末装置１００はスマートフォンであり、タッチパネル１６とディスプレイ１７とは一体化されてタッチパネル式のディスプレイとして実現されているが、タッチパネル１６をキーボードまたはマウス等で構成し、ディスプレイ１７を液晶ディスプレイ等で構成してもよい。
【００７７】
使用者間のネットワークとして、例えばＳＮＳへの投稿を通じて、各検査機関の情報（例えば、各検査機関の評判、使用者による書き込み等）を共有してもよい。ＳＮＳによる情報共有により、専門の検査機関に対して使用者が抱いている受診に対する大きな壁を自己検査の結果を自身で確認出来た事により、踏ん切りが付いた事で、使用者が受診し易い環境や、最新の医療情報を提供することができる。このようなＳＮＳによる情報共有により、妊娠率の向上の橋渡しとなるネットワークを構築して、使用者間の交流や情報交換など使用者の輪を広げることができる。ＳＮＳによる情報共有は検査機関が参加してもよい。
【００７８】
また、ユーザ登録を行った使用者（会員と呼ぶ）間のネットワークとして、会員専用の情報を共有してもよい。会員専用の情報を投稿し共有する手段としては、例えば管理装置２００が、演算部２０に会員投稿情報データベースを備え、会員から投稿された情報を記録する。また、検査機関から管理装置２００を経由して、例えば電子メール等を介して会員へ最新情報（例えば、最新の医療情報等）を配信することができる。最新情報を配信することができる検査機関は、検査機関データベース２０３に登録されている検査機関に制限してもよい。
【００７９】
細胞観察キット４００は、エンザイムまたは希釈液を含むことができる。これらエンザイムまたは希釈液は、精液ＳＥの液化が不完全な場合に使用者により精液ＳＥに加えられる。
【００８０】
上記実施の形態では、細胞測定部１０３により精子ＳＰの数および運動率の解析を行っているが、細胞測定部１０３が実施する解析項目はこれらに限定されない。解析項目は例えば以下が例示される。
＜精子運動解析項目＞
・運動精子数、不動精子数、解析精子数(運動精子数＋不動精子数)
・精子濃度(百万/ml)
・総精子数(百万  精子濃度×精液量)
・精子運動率(%)
・運動精子濃度(百万/ml)、総運動精子数(百万)
・精子直線速度(Straight-line Velocity(VSL)μm/秒)
・精子曲線速度(Curvilinear Velocity(VCL)μm/秒)
・精子平均速度(Average Path Velocity(VAP)μm/秒)
・精子直進性(Linearity(LIN) 直線速度/曲線速度)
・精子直線性(Straightness(STR)  直線速度/平均速度)
・精子頭部振幅(Amplitude of lateral head displacement(ALH) μm)
・精子頭部振動数(Beat-cross Frequency(BCF)  Hz)
【００８１】
上記実施の形態では、既知の容量について得られた精子数のカウント値に、既知容量に応じた倍数を乗算して、規定の測定容量での精子数のカウント値を算出しているが、精子数をカウントする方法はこれに制限されない。以下に、精子数をカウントする手順の他の一例を述べる。
【００８２】
精子数をカウントする手順の一例は以下の通りである。
［計数チャンバ４３の深さが２０μｍの場合］
＜プロトコル＞
１．  完全に液化され均質化された５μｌの精液ＳＥを、導入エリア４３１Ａに滴下する。
２．  毛細管現象により計数チャンバ４３の約８０〜９０％の領域を満たすことで視野が安定化する。
３．  計数チャンバ４３が満たされた後、余分な精液ＳＥが導入エリア４３１Ａに残存している場合、キムワイプなどを用いて余分な精液ＳＥを吸い取る。
４．  任意に選択する少なくとも５個のマス目について、マス目内に存在する精子ＳＰの数をカウントする。
ＷＨＯマニュアルの推奨では、信頼できる結果を得るために、少なくとも２００個の精子数をカウントすることが望ましいとしている。
１）精子数のカウントが２００を越えるまで、多くのマス目をカウントする。
２）カウントした精子数を、計数したマス目の数で除算（÷）する。
３）この除算の結果に５を乗算（×）する。
５．  ＷＨＯのマニュアルに従って、運動性を決定する。
＜濃度の算出＞
１ｍｌあたりの精子数（精子濃度：×１０６  ｓｐｅｒｍ／ｍｌ）は以下の様に算出される。
１ｍｌあたりの精子数＝（５個のマス目内でカウントされた精子の総数）×１０６
＊総分析容量：５マス×０．１ｍｍ×０．１ｍｍ×０．０２ｍｍ＝０．００１ｍｍ３
＜運動性の分類と割合の算出＞
ＷＨＯマニュアルの推奨する運動性に分類し、全体に対するそれぞれの割合を算出する。
クラスＰＲ      速度にかかわらず、活発に直進運動あるいは大きな円周運動
クラスＮＲ      前進のない他の全ての運動
・  小さな円周運動を示すパターン
・  頭部および尾部の振幅運動のみを示すパターン
・  尾部の振幅運動のみを示すパターン
クラスＩＭ      前進運動および振幅運動は全くなし
＜参考＞
WHO laboratory manual for the examination and processing of human semen 
Fifth edition
ISBN: 978 92 4 154778 9
http://www.who.int/reproductivehealth/publications/infertility/9789241547789/en/
【００８３】
［計数チャンバ４３の深さが１０ μｍの場合］
＜手順＞
１．  完全に液化され均質化された３μｌの精液を、導入エリア４３１Ａに滴下する。
２．  毛細管現象により計数チャンバ４３の約８０〜９０％の領域を満たすことで視野が安定化する。
３．  計数チャンバ４３が満たされた後、余分な精液が導入エリア４３１Ａに残存している場合、キムワイプなどを用いて余分な精液ＳＥを吸い取る。
４．  任意に選択する少なくとも１０個のマス目について、マス目内に存在する精子の数をカウントする。
ＷＨＯマニュアルの推奨では、信頼できる結果を得るために、少なくとも２００個の精子数をカウントすることが望ましいとしている。
１）精子数のカウントが２００を越えるまで、多くのマス目をカウントする。
２）カウントした精子数を、計数したマス目の数で除算（÷）する。
３）この除算の結果に１０を乗算（×）する。
５．  ＷＨＯのマニュアルに従って、運動性を決定する。
＜濃度の算出＞
１ｍｌあたりの精子数（精子濃度：×１０６  ｓｐｅｒｍ／ｍｌ）は以下の様に算出される。
１ｍｌあたりの精子数＝（１０個のマス目内でカウントされた精子の総数）×１０６
＊総分析容量：１０マス×０．１ｍｍ×０．１ｍｍ×０．０１ｍｍ＝０．００１ｍｍ３
＜運動性の分類と割合の算出＞
ＷＨＯマニュアルの推奨する運動性に分類し、全体に対するそれぞれの割合を算出する。
クラスＰＲ      速度にかかわらず、活発に直進運動あるいは大きな円周運動
クラスＮＲ      前進のない他の全ての運動
・  小さな円周運動を示すパターン
・  頭部および尾部の振幅運動のみを示すパターン
・  尾部の振幅運動のみを示すパターン
クラスＩＭ      前進運動および振幅運動は全くなし
＜参考＞
WHO laboratory manual for the examination and processing of human semen
Fifth edition
ISBN: 978 92 4 154778 9
http://www.who.int/reproductivehealth/publications/infertility/9789241547789/en/
【符号の説明】
【００８４】
１０   演算部
１１   ＣＰＵ
１２   メモリ
１３   記録部
１４   バス
１５   インタフェース部
１６   タッチパネル
１７   ディスプレイ
１８   カメラモジュール
２０   演算部
４１   収集容器
４２   スポイト
４３   計数チャンバ
４３１ 導入エリア
４３１Ａ，４３１Ｂ   導入エリア
４３２ 計測エリア
４３２Ａ，４３２Ｂ   計測エリア
４３３ スライドガラス
４３４ グリッド
４４   カートリッジ
４４１ レンズ
４４２ レンズホルダ
４５   カード
４５１ 情報コード
４５２ ＩＤ番号
９８   衛星
９９   ネットワーク
１００ 情報端末装置
１０１ 動画取得部
１０２ 動画表示部
１０３ 細胞測定部
１０４ 細胞状態判定部
１０５ 位置情報取得部
１０６ 検査機関位置表示部
１０７ 選択受付部
１０８ 検査受付部
１６０ 記録ボタン
１６１ 計測開始ボタン
１６２ 情報端末装置の位置
１６３ 検査機関の位置
１６４ 送信ボタン
１６５ 表示切り替えボタン
１６６ 参照動画
２００ 管理装置
２０１ 検査機関検索部
２０２ 地図画像生成部
２０３ 検査機関データベース
２０４ 電子地図データベース
３００ 受付装置
４００ 細胞観察キット
ＥＸ   外光
ＳＥ   精液
ＳＰ   精子（被験細胞）
【図１】
2019044818.tif 000003
【図２】
2019044818.tif 000004
【図３】
2019044818.tif 000005
【図４】
2019044818.tif 000006
【図５】
2019044818.tif 000007
【図６】
2019044818.tif 000008
【図７】
2019044818.tif 000009
【図８】
2019044818.tif 000010
【図９】
2019044818.tif 000011
【図１０】
2019044818.tif 000012
【図１１】
2019044818.tif 000013
【図１２】
2019044818.tif 000014
【図１３】
2019044818.tif 000015
【図１４】
2019044818.tif 000016
【国際調査報告】
2019044818.tif 000017
2019044818.tif 000018
2019044818.tif 000019
2019044818.tif 000020